(57)【要約】【課題】  例えば、建物の屋根上の積雪を地上側から未熟者が容易に安全に除去できる簡便構造の熱風溶雪装置を提供する。【解決手段】  建物２３の屋根２４上の積雪２５の表面の近傍に熱風噴出管４を有する熱風発生機構部１をセットとし、これを移動機構部２をコントロールしてＸ，Ｙ，Ｚ方向に移動し熱風噴出管４からの熱風を積雪２５の上に噴出させることにより積雪２５が表面から融雪して下方に進み、部分的に積雪塊から離れ、離れた部分から地面２８に落下する。【選択図】  図１
0003121834.tif 000002
【実用新案登録請求の範囲】
【請求項１】
積雪塊に熱風を当てて雪を融離除去処理を行う熱風溶雪装置であって、該装置は、外気温度よりも１０℃以上高温の熱風を発生させる熱風発生機構部と、該機構部を前記積雪塊の表面に沿ってＸ，Ｙ，Ｚ方向に移動させる移動機構部とを有するものからなることを特徴とする熱風溶雪装置。
【請求項２】
前記熱風発生機構部が、熱風噴出管と、該管内に配置されるガスバーナ及びこの付帯装置と、前記熱風噴出管の基端側に連結されるブロアと、これ等のコントロール機構部とからなることを特徴とする請求項１に記載の熱風溶雪装置。
【請求項３】
前記移動機構部が、前記熱風発生機構部を保持してこれをＸ方向に移動させるＸ軸移動機構部と、該機構部を保持してこれをＺ方向に移動させるＺ軸移動機構部と、前記各機構部を保持してこれをＹ方向に移動させるＹ軸機構部と、前記各機構部のコントロール部とからなることを特徴とする請求項１に記載の熱風溶雪装置。
【請求項４】
前記積雪塊が、建物の屋根に積雪されるものからなり、前記熱風発生機構部の噴出熱風が、前記積雪の表面に噴出されて前記屋根の端縁と平行するＸ方向に移動するものからなることを特徴とする請求項１に記載の熱風溶雪装置。
【考案の詳細な説明】
【技術分野】
【０００１】
本考案は、例えば、建物の屋根に積雪されている雪塊を熱風により順次融離して落下除去する熱風溶雪装置に関する。
【背景技術】
【０００２】
雪塊に熱風を当ててその融離除去を行う装置としては前記雪塊の形態により種々のものが従来よりあり、建物の屋根に積雪している積雪塊を除去する手段（雪おろし手段）としても各種のものがある。また、熱風発生機構部としても従来より各種のものがある。例えば、「雪おろし装置」としては「特許文献１」や「特許文献２」があり、熱風発生装置としては例えば、「特許文献３」が挙げられる。
【特許文献１】登録実用新案第３０３２２０５号（図１）
【特許文献２】特開２０００−２６５７０９号（図１）
【特許文献３】特開昭５５−９９５２７号（図１）
【考案の開示】
【考案が解決しようとする課題】
【０００３】
「特許文献１」の「登録実用新案第３０３２２０５号」の「屋根の雪おろし装置」は雪おろし板を屋根の積雪の中に押し込み、この雪おろし板をこれに連結されているワイヤによって操作し、雪を屋根からかきおろすものである。
また、「特許文献２」の「特開２０００−２６５７０９号」の「屋根の雪おろし装置」は移動屋根板を設け、これをガイド部材に沿って移動して屋根の雪を地上側に雪おろしするものである。
以上のように、この公知技術はいずれも機械的なものであり、熱風を用いたものでなく、かつ熱風を屋根塊に対応してＸ，Ｙ，Ｚ方向に移動させて全体を除去するものではない。また、熱風を用いて除雪を行う公知技術は見当らず、かつ簡便な構造のものも見当らない。
一方、「特許文献３」の「特開昭５５−９９５２７号」の「火災ジェットバーナ」は熱風発生機構部の公知技術の１つであるが、噴流ノズルから噴出される火災は強力のものであり、積雪塊の除去にはこれ程の火力は必要でない、かつ装置構造が複雑で高価なものとなり、一般人が簡便に使用し得るものではない。
【０００４】
雪国においては、冬期は屋根等からの「雪おろし作業」が絶対に必要であり、通常は雪おろしの専門家に依頼する場合が多いが住人が行う場合もあり、場合により作業中に屋根から落下して大怪我をする場合もある。通常の屋根の雪おろしは屋根の上にまず昇り、順次積雪をスコップ等を用いて地下側に落下排出するものであり、作業そのものが危険である。仮りに地上側から屋根の雪を除去することも可能であるが、複雑なロボット機構的なものが必要であり、極めて高価なものとなり一般人が使用し得るものではない。
出願人の実験によると、積雪は外気温度から約１０℃位高温の熱風を噴出することにより融離し始め、例えば１ｍ程度の間隔で熱風を屋根の端縁と平行に移動させることにより端縁側の雪塊が全体の雪塊から離れ、自重により地上側に落下することが実証された。また、この程度の熱風を発生させて噴出させることは公知技術を用いて比較的簡単にできることがわかった。
【０００５】
本考案は、以上の事情に鑑みて考案されたものであり、装置構造が簡便で一般人も使用でき、操作性，安全性がよく、確実な雪おろしができる熱風溶雪装置を提供することを目的とする。
【課題を解決するための手段】
【０００６】
本考案は、以上の目的を達成するために、請求項１の考案は、積雪塊に熱風を当てて雪を融離除去処理を行う熱風溶雪装置であって、該装置は、外気温度よりも１０℃以上高温の熱風を発生させる熱風発生機構部と、該機構部を前記積雪塊の表面に沿ってＸ，Ｙ，Ｚ方向に移動させる移動機構部とを有するものからなることを特徴とする。
【０００７】
また、請求項２の考案は、前記熱風発生機構部が、熱風噴出管と、該管内に配置されるガスバーナ及びこの付帯装置と、前記熱風噴出管の基端側に連結されるブロアと、これ等のコントロール機構部とからなることを特徴とする。
【０００８】
また、請求項３の考案は、前記移動機構部が、前記熱風発生機構部を保持してこれをＸ方向に移動させるＸ軸移動機構部と、前記各機構部を保持してこれをＺ方向に移動させるＺ軸移動機構部と、該機構部を保持してこれをＹ方向に移動させるＹ軸機構部と、前記各機構部のコントロール部とからなることを特徴とする。
【０００９】
また、請求項４の考案は、前記積雪塊が、建物の屋根に積雪されるものからなり、前記熱風発生機構部の噴出熱風が、前記積雪の表面に噴出されて前記屋根の端縁と平行するＸ方向に移動するものからなることを特徴とする。
【考案の効果】
【００１０】
本考案の請求項１の熱風溶雪装置によれば、外気温度よりも１０℃以上高い熱風を発生する熱風発生機構からの熱風を積雪塊の表面に噴出し、この熱風を移動機構部によりＸ，Ｙ，Ｚ方向に移動させることにより積雪塊が順次融離し全体を除去することが容易にできる。
【００１１】
また、本考案の請求項２の熱風溶雪装置によれば、ブロアから供給された空気（外気）を熱風噴出管内でガスバーナによって加熱することによって所望の温度の熱風を容易に発生させることができ、コントロール機構部によりガスバーナやブロアを遠隔場所からリモートコントロールすることができる。
【００１２】
また、本考案の請求項３の熱風溶雪装置によれば、熱風発生機構部を保持するＸ軸移動機構部を用い、これをコントロール部により作動することにより熱風発生機構部を遠隔場所からリモートコントロールすることができ、更に、Ｙ及びＺ方向にリモートコントロールすることにより積雪塊を容易に、かつ確実に除去することができる。
【００１３】
また、本考案の請求項４の熱風溶雪装置によれば、積雪塊が屋根の積雪の場合には本考案の熱風溶雪装置によってほぼ完全に積雪を融離、落下除去することができる。また、リモートコントロールのため、地上から屋根上の積雪を除去できるため、危険でなく、熟練者でなくても操作でき、安全性を確保することができる。
【考案を実施するための最良の形態】
【００１４】
以下、本考案の熱風溶雪装置の実施の形態を図面を参照して詳述する。なお、積雪塊としては色々な場所に形成されているが、以下の実施例では、屋根上に積雪した場合について説明する。勿論これに限定するものではない。
【実施例１】
【００１５】
本考案の熱風溶雪装置１００は、大別して熱風発生機構部１と、これをＸ，Ｙ，Ｚ方向に移動させる移動機構部２と、これ等のコントロール機構部３とからなる。
【００１６】
熱風発生機構部１としては任意のものでよいが、簡便で、かつ軽量のものが望ましく、以下の構造のものが一例として適用されるが勿論、これに限定するものではない。
細長のパイプ体からなる熱風噴出管４は先端側をノズル状に絞られたものからなり、基端側は開口されたものからなる。その材質としては特に限定するものではないが、耐熱性や耐蝕性のあるものが望ましく、かつ極力軽量なものがよい。先端の絞り口４ａの直径は任意のものでよいが、雪が中に入り込んでつまることのない程度のものがよい。
【００１７】
ガスコンロ５としてはごく一般的なものでよいが、熱風噴出管４内に火災噴出部５ａがあり、ここにガスを供給するガスボンベ５ｂは熱風噴出管４の外部に配置される。また、着火の点火プラグ５ｃは火災噴出部の近傍に配置される。なお、ガスボンべ５ｂの開閉や点火プラグ５ｃのＯＮ−ＯＦＦは、例えば、操作用ケーブル６に連結されるコントロール機構部３ａにより行われる。
【００１８】
熱風噴出管４の前記の基端側の開口部にはブロア７が挿入連結される。このブロア７は公知のものでよく、例えば、エンジンタイプの軽量，小型のものが適用される。このブロア７もコントロール機構部３ｂにより地上側から動作されるものからなる。
【００１９】
以上のように熱風発生機構部１はすべて熱風噴出管４に一体的に連結されるガスコンロ５やブロア７等とからなり、全体として持ち運び可能なものからなるが、熱風噴出管４には熱風発生機構部１を移動させるためにガイド筒８が固定される。
【００２０】
次に、移動機構部２を図１により説明する。
移動機構部２はＸ軸移動機構部２Ａと、Ｙ軸移動機構部２Ｂと、Ｚ軸移動機構部２Ｃと、これ等のコントロール部９とからなる。
Ｘ軸移動機構部２Ａは熱風発生機構部１のガイド筒８に挿入されてＸ軸方向に沿って配設されるＸ軸ガイド棒１０と、ガイド筒８に連結されるリード線１１等とからなる。Ｚ軸移動機構部２Ｃは、建物の両側近傍に立設するＺ軸ガイド棒１３及びＺ軸ねじ棒１２と、これ等の下端に連結されるスライドブロック１４，１４と、Ｚ軸ねじ棒１２を回転するためのハンドル１５等とからなる。なお、Ｚ軸ガイド棒１３はスライドブロック１４に固定されていてもよいがＺ軸ねじ棒１２はスライドブロック１４にＺ軸方向の移動を拘束された状態で枢支される。
また、Ｚ軸ガイド棒１３にはこの軸線方向に沿って移動可能にスライドカラ１６が挿着され、Ｚ軸ねじ棒１２にはナット１７が挿着される。また、スライドカラ１６及びナット１７は前記のＸ軸ガイド棒１０の端部に固定される。また、Ｚ軸ガイド棒１３とＺ軸ねじ棒１２の頂部には滑車１８，１９が固定され、この滑車１８，１９には前記のリード線１１が係着される。また、滑車１８側のリード線１１の先端には把持具２０が固定され、滑車１９側のリード線にはスプリング２１が連結し、このスプリング２１はスライドブロック１４に端部が連結される。
【００２１】
Ｙ軸移動機構部２Ｂはスライドブロック１４をＹ軸方向に沿って摺動可能に支持するガイドレール２２からなる。
【００２２】
以上の構造により、把持具２０を把持してリード線１１を移動させるとこのリード線１１にガイド筒８を介して固定されている熱風発生機構部１がＸ軸ガイド棒１０に沿ってＸ軸方向に移動する。勿論把持を開放することによりスプリング２１のスプリング力により熱風発生機構部は元の位置に戻る。また、ハンドル１５によりＺ軸ねじ棒１２を回転するとナット１７がＺ軸ねじ棒１２に沿ってＺ軸方向に移動し、これによってＸ軸ガイド棒１０がＺ軸方向に移動する。また、Ｚ軸ガイド棒１３又はＺ軸ねじ棒１２を把持してスライドレール２２に沿って移動することにより、結果としてＸ軸ガイド棒１０がＺ軸方向に移動することになる。以上により、熱風発生機構部１をＸ，Ｙ，Ｚ方向の任意の位置にセットすることができる。
【００２３】
次に、本考案の熱風溶雪装置１００による建物２３の屋根２４の積雪２５の除去方法を図３乃至図５により説明する。
図３に示すように、熱風溶雪装置１００の熱風発生機構部１の熱風噴出管４の絞り口４ａを積雪２５の表面に近接させて熱風を噴射する熱風の温度は外気温度より約１０℃以上高いものがコントロール機構部３ａをコントロールして設定される。
【００２４】
次に、図４に示すように、熱風発生機構部１を屋根２４の端縁に近い位置の一方向から寸法ａだけ離した位置にセットしこれを点線２６に示すようにＸ軸方向に屋根２４の横寸法ｂだけ移動させる。熱風噴出管からの熱風により積雪２５の表面が溶け始め、内部に向かって溶雪層が生じ、図５に示すように寸法ａの部分２７が他の積雪２５から融離する。前記の部分２７はそれ自体として重量があり、屋根２４も下方に向かって傾斜しているためこの部分２７が地面２８側に落下する。次に、図４及び図５に示すように熱風発生機構部１をＹ方向にａ寸法移動させると共に図５に示すようにＺ軸方向に移動させてこの位置で熱風発生機構部１をＸ方向に移動させることにより次の雪のカット部分が生じ、このカット部分が引き続き地面２８側に落下する。
なお、以上の動作は雪の落下したい地面２８の位置で人がコントロールすることができ、誰でもが簡単に前記の除雪作業を行うことができ、かつ全く危険でなく、特別な労力や技術を必要とせずに行うことができる。また、除雪作業時間は従来の方法に較べて極めて短いものとなる。
【００２５】
以上の積雪除去は前記のように建物２３の屋根２４についての除雪作用であるが、積雪塊はこれに限定するものではない。また、熱風溶雪装置１００の構成要素については前記のものに限定するものではなく、同一技術的範疇のものが適用されることは勿論である。
【産業上の利用可能性】
【００２６】
本考案の熱風溶雪装置は前記のように積雪塊のあるほぼ全ての場所に適用され、かつ建物や屋根の形状は任意のものに適用可能であり、その利用範囲は極めて広い。
【図面の簡単な説明】
【００２７】
【図１】本考案の熱風溶雪装置の全体構造と建物の積雪塊との係合状態を示す模式的斜視図。
【図２】本考案の熱風溶雪装置における熱風発生機構部の概要構造を示す模式的斜視図。
【図３】本考案の熱風溶雪装置の熱風発生機構部の熱風噴出管と積雪塊との係合状態を示す模式的正面図。
【図４】本考案の熱風溶雪装置による屋根上の積雪塊の除雪作用を示す模式的斜視図。
【図５】本考案の熱風溶雪装置による除雪作用を示す模式的側面図。
【符号の説明】
【００２８】
１      熱風発生機構部
２      移動機構部
２Ａ    Ｘ軸移動機構部
２Ｂ    Ｙ軸移動機構部
２Ｃ    Ｚ軸移動機構部
３      コントロール機構部
３ａ    コントロール機構部
３ｂ    コントロール機構部
４      熱風噴出管
４ａ    絞り口
５      ガスコンロ
５ａ    火災噴出部
５ｂ    ガスボンベ
５ｃ    点火プラグ
６      操作用ケーブル
７      ブロア
８      ガイド筒
９      コントロール部
１０    Ｘ軸ガイド棒
１１    リード線
１２    Ｚ軸ねじ棒
１３    Ｚ軸ガイド棒
１４    スライドブロック
１５    ハンドル
１６    スライドカラ
１７    ナット
１８    滑車
１９    滑車
２０    把持具
２１    スプリング
２２    ガイドレール
２３    建物
２４    屋根
２５    積雪
２６    点線
２７    部分
２８    地面
１００  熱風溶雪装置
【図１】
0003121834.tif 000003
【図２】
0003121834.tif 000004
【図３】
0003121834.tif 000005
【図４】
0003121834.tif 000006
【図５】
0003121834.tif 000007